(57)【要約】【課題】  面積的、空間的な広がりを持った測定データ収集を１人で効率よく行うことを可能とする測定器用データ収集装置を提供する。【解決手段】  測定器用データ収集装置は、複数の測定位置に関する情報を設定し、磁気センサー１１からの測定データを測定位置に対応させて記録する携帯型コンピュータ１０からなる。コントローラ１２は、ユーザが、複数の測定位置の中から、測定する測定位置を選択する移動スイッチ２３と、移動スイッチ２３により選択された測定位置の座標を表示するＸ軸方向位置表示部２１、Ｙ軸方向位置表示部２２と、ユーザの支持を受け、磁気センサー１１からの測定データの記録を、携帯型コンピュータ１０へ指示するデータ取込みスイッチ２４と、携帯型コンピュータ１０と通信する通信ケーブル１３とからなる。【選択図】    図１
2006322735.tif 000002
【特許請求の範囲】
【請求項１】
複数の測定位置に関する情報を設定し、測定データを前記測定位置に関する情報に対応させて記録する記録部を備える測定器用データ収集装置において、
ユーザが、前記複数の測定位置の中から、測定する測定位置を選択する選択手段と、
前記選択手段により選択された測定位置に関する情報および測定データの取込み状態を表示する表示手段と、
ユーザの指示を受け、測定データの記録を、前記記録部へ指示する指示手段と、
前記記録部と通信する通信手段と
からなるコントローラを備えることを特徴とする測定器用データ収集装置。
【請求項２】
前記表示手段は、測定位置に関する情報として、測定位置の座標を表示することを特徴とする請求項１に記載の測定器用データ収集装置。
【請求項３】
前記表示手段は、測定位置に関する情報を表示する色で、測定データの取込み状態を識別可能とすることを特徴とする請求項１または請求項２の測定器用データ収集装置。
【発明の詳細な説明】
【技術分野】
【０００１】
本発明は、建築、土木、物理学、その他測定に関わる種々の分野で、建築物内あるいは屋外での温度、湿度、電界などについて、面積的、または空間的な広がりを持った測定において、測定器から入力される測定データを集録する際に用いて好適な測定器用データ収集装置に関する。
【背景技術】
【０００２】
従来の測定器は、ごく簡便な測定器を除いて、概して測定データの記録部分が卓上に置く程度の大きさになるため、検知部分（プローブ）を手で持てる程度の大きさとし、記録部分と分離していることが多い。できるだけ検知部分を軽便にするために、検知部分にかかわる電源やアンプも記録部分側に設けて、被測定対象に検知部分を近づけて、木目細かな測定を可能としているものもある。また、測定器とは別の機器として、記録部分を独立した装置とし、様々な測定器を接続可能で、磁気テープ、紙などの媒体に測定データを記録するデータレコーダもある。
ところで、記録機能を持つ測定器を用いる場合も、データレコーダと測定器を組み合わせて用いる場合でも、通常、測定した個々の測定データが何を意味するかについては、測定者が個々に記録する必要がある。例えば、複数の異なる測定位置について、プローブを移動させながら測定するような、面積的、または空間的な広がりを持った測定を行う場合には、各測定データが、どの測定位置のものであるかを、測定者が字句や音声による入力を行い記録していた。このため、測定データの記録と、それが何を意味するかという測定位置の記録という複数の作業を測定者は並行して行う必要があり、作業が煩雑になり、時間を要する、誤りを生じやすいなどの問題があった。
この改善策として、測定を行う複数の測定位置に関する情報（座標など）を、記録部分に予め設定しておき、測定する際は、これを画面に表示させて、測定データと測定位置に関する情報を対応させて記録する機能を記録部分に備えることで、面積的、または空間的な広がりを持った測定データ収集の正確性および効率を上げる装置および方法が提案されている（特許文献１参照）。
【特許文献１】特開２００４−２４５８１９号公報
【発明の開示】
【発明が解決しようとする課題】
【０００３】
しかしながら、特許文献１に示すデータ収集装置および方法にあっては、プローブを操作する場所と、測定データと測定位置に関する情報を対応させて記録するための記録部分への操作をする場所が位置的に離れてしまうため、２人での作業となる、あるいは、１人で作業するには、プローブの操作と記録部分の操作を、離れた場所を行き来しながら、交互に行わなければならず作業が煩雑になるという問題がある。
【０００４】
本発明は、このような事情に鑑みてなされたもので、その目的は、面積的、空間的な広がりを持った測定データ収集を１人で効率よく行うことを可能とする測定器用データ収集装置を提供することにある。
【課題を解決するための手段】
【０００５】
この発明は上述した課題を解決するためになされたもので、請求項１に記載の発明は、複数の測定位置に関する情報を設定し、測定データを前記測定位置に関する情報に対応させて記録する記録部を備える測定器用データ収集装置において、ユーザが、前記複数の測定位置の中から、測定する測定位置を選択する選択手段と、前記選択手段により選択された測定位置に関する情報および測定データの取込み状態を表示する表示手段と、ユーザの指示を受け、測定データの記録を、前記記録部へ指示する指示手段と、前記記録部と通信する通信手段とからなるコントローラを備えることを特徴とする測定器用データ収集装置である。
請求項２に記載の発明は、請求項１に記載の測定器用データ収集装置であって、前記表示手段は、測定位置に関する情報として、測定位置の座標を表示することを特徴とする。
請求項３に記載の発明は、請求項１または請求項２の測定器用データ収集装置であって、前記表示手段は、測定位置に関する情報を表示する色で、測定データの取込み状態を識別可能とすることを特徴とする。
【発明の効果】
【０００６】
この発明によれば、プローブの移動とともに持ち運べるコントローラを用いて、測定者が測定位置の指定および測定データの取込み指示を行うことができるため、面積的、空間的な広がりを持った測定データ収集を１人で効率よく行うことが可能である。
また、従来の技術である特許文献１で得られていた以下のような特長については、保持されている。
・測定データを読み出して見ることが可能。
・周囲の測定データと比較することでチェックが随時可能。
・収集した測定データを現場で即整理して、等高線表示やグラフ表示が可能。
・等高線表示やグラフ表示により、上記チェックが視覚的に随時可能。
【発明を実施するための最良の形態】
【０００７】
以下、図面を参照して、本発明の実施の形態について説明する。図１は、この発明の一実施形態による測定器用データ収集装置の構成を示す構成図である。１０は、測定者が予め測定位置の座標を設定しておくと、測定位置の座標と対応させて測定データが記録される携帯型コンピュータである。１１は、３軸磁界測定用の磁気センサーである。１２は、コントローラであり、該当測定位置の測定データを、記録済なら座標を緑色表示、記録未済なら黄色表示、記録失敗なら赤色表示するＸ軸方向位置表示部２１およびＹ軸方向位置表示部２２、測定位置のＸ軸方向およびＹ軸方向への移動を指示する移動スイッチ２３、磁気センサー１１からのデータ取込みを指示するデータ取込みスイッチ２４を備えており、通信ケーブル１３で、携帯型コンピュータ１０と接続されている。
次に、この測定器用データ収集装置の動作を説明する。まず、測定者は、測定を行う前に測定の計画を立て、測定位置を決定する。ここでは、図２に示す４００ｃｍ四方の平面に、二重丸で示す５×５で合計２５箇所の測定点を設けたものとする。測定者は、この測定点の位置に関する情報を、携帯型コンピュータ１０の図３に示す設定画面に、携帯型コンピュータ１０のキーボード、マウスなどを用いて入力する。ここでは、データ名を“ａｏｙａｍａ３Ｆ５”、Ｘ軸ポイント数を“５”、Ｙ軸ポイント数を“５”、Ｘ軸ポイント間隔を“１００”ｃｍ、Ｙ軸ポイント間隔を“１００”ｃｍ、次元数を“４”とする。
【０００８】
すると、携帯型コンピュータ１０は、図４に示す測定ポイントに関する画面を表示するとともに、通信ケーブル１３を介して、コントローラ１２に座標（１、１）の黄色表示を指示する。コントローラ１２は、携帯型コンピュータ１０から座標（１、１）の黄色表示の指示を受けると、Ｘ軸方向位置表示部２１およびＹ軸方向位置表示部２２にそれぞれ、“１”を黄色で表示する。測定者は、これを確認して、コントローラ１２とともに、磁気センサー１１を所持した状態で、座標（１、１）の測定点まで移動し、該測定点に磁気センサー１１をあてて、測定データの状態を携帯型コンピュータ１０の画面上で監視すると共に、データ取込みスイッチ２４を押す。データ取込みスイッチ２４が押されると、コントローラ１２は、データ取込み指示を、通信ケーブル１３を介して、携帯型コンピュータ１０に送信する。携帯型コンピュータ１０は、データ取込み指示を受けると、測定表示している３軸方向成分の磁界のＲＭＳ（Ｒｏｏｔ  Ｍｅａｎ  Ｓｑｕａｒｅ）を算出して、これらの測定データとともに、座標（１、１）と対応させて、内部のハードディスクに記録する。さらに、携帯型コンピュータ１０は、通信ケーブル１３を介して、コントローラ１２に座標（１、１）の緑色表示を指示する。コントローラ１２は、携帯型コンピュータ１０から座標（１、１）の緑色表示の指示を受けると、Ｘ軸方向位置表示部２１およびＹ軸方向位置表示部２２にそれぞれ、“１”を緑色で表示する。
【０００９】
ここで、磁気センサー１１の異常、携帯型コンピュータ１０の操作誤りなどにより、測定データの取込みに失敗した場合は、携帯型コンピュータは、通信ケーブル１３を介して、コントローラ１２に座標（１、１）の赤色表示を指示する。コントローラ１２は、携帯型コンピュータ１０から座標（１、１）の赤色表示の指示を受けると、Ｘ軸方向位置表示部２１およびＹ軸方向位置表示部２２にそれぞれ、“１”を赤色で表示する。測定者は、異常を取り除いた後で、再び座標（１、１）での測定を行うと、コントローラ１２は、Ｘ軸方向位置表示部２１およびＹ軸方向位置表示部２２にそれぞれ、“１”を緑色で表示する
【００１０】
次に、測定者が、Ｘ軸方向位置表示部２１およびＹ軸方向位置表示部２２に“１”が緑色で表示されていることを確認して、次の測定点を選択するために、下方向の移動スイッチ２３を押したとする。下方向の移動スイッチ２３が押されると、コントローラ１２は、通信ケーブル１３を介して、携帯型コンピュータ１０に下方向移動の指示を送信する。携帯型コンピュータ１０は、コントローラ１２から下方向移動の指示を受けると、現在の測定点の座標（１、１）を下方向に変更して、座標（１、２）とするとともに、当該測定点の座標に対応した測定データが記録されていないことを確認して、通信ケーブル１３を介して、コントローラ１２に座標（１、２）の黄色表示の指示を送信する。コントローラ１２は、携帯型コンピュータ１０から座標（１、２）の黄色表示の指示を受けると、Ｘ軸方向位置表示部２１に“１”およびＹ軸方向位置表示部２２に“２”を黄色で表示する。測定者は、これを確認して、コントローラ１２とともに、磁気センサー１１を所持した状態で、座標（１、２）の測定点まで移動し、該測定点に磁気センサー１１をあて、測定データを監視すると共に、データ取込みスイッチ２４を押す。すると、座標（１、１）のときと同様にして、座標（１、２）の３軸方向の測定データとＲＭＳが携帯型コンピュータ１０に記録され、Ｘ軸方向位置表示部２１に“１”およびＹ軸方向位置表示部２２に“２”が緑色で表示される。以後、全ての測定点に対して、同様のことを繰り返すことで、図２に示す２５箇所の測定データがその座標とともに記録される。また、データが既に取り込まれていても、修正して上書きすることも可能である。
【００１１】
測定データを記憶すると、測定者が、測定結果についての確認を行うことが可能なように、携帯型コンピュータ１０では、測定データを図５のようにグラフ（図５はＸ軸方向成分のみの例）で表示する。
また、本実施形態では、図４のように、Ｘ軸方向位置表示部２１とＹ軸方向位置表示部２２と同等の機能である測定ポイント文字表示４１および測定ポイント図表示４２と、データ取込みスイッチ２４と同等の機能である取り込みスイッチ４３を、携帯型コンピュータ１０の機能として備えており、コントローラ１２だけでなく、これらでの操作も可能としている。
なお、本実施形態では、携帯型コンピュータ１０で図５のようなグラフ表示を行うように説明したが、コントローラ１２にもグラフ表示の機能を持たせてもよい。
また、本実施形態では、携帯型コンピュータ１０とコントローラ１２および磁気センサー１１との間を通信ケーブル１３にて接続するように説明したが、電波や音波などの無線通信であってもよい。
【００１２】
以上、この発明の実施形態を、図面を参照して詳述してきたが、具体的な構成はこの実施形態に限られるものではなく、この発明の要旨を逸脱しない範囲の設計等も含まれる。
【図面の簡単な説明】
【００１３】
【図１】この発明の一実施形態による測定器用データ収集装置の構成を示す外観図である。
【図２】同実施形態における測定点の例を示す図である。
【図３】同実施形態における携帯型コンピュータ１０の画面例を示す図である。
【図４】同実施形態における携帯型コンピュータ１０の測定ポイント画面例を示す図である。
【図５】同実施形態における携帯型コンピュータ１０測定データのグラフ表示を示す図である。
【符号の説明】
【００１４】
１０…携帯型コンピュータ
１１…磁気センサー
１２…コントローラ
１３…通信ケーブル
２１…縦方向位置表示部
２２…横方向位置表示部
２３…移動スイッチ
２４…データ取込みスイッチ
４１…測定ポイント文字表示
４２…測定ポイント図表示
４３…取込みスイッチ
【図１】
2006322735.tif 000003
【図２】
2006322735.tif 000004
【図３】
2006322735.tif 000005
【図４】
2006322735.tif 000006
【図５】
2006322735.tif 000007